(57)【要約】【課題】操作性を向上し、かつ意匠性を高めた、アシスト把手及び戸先錠を障子の戸先框に設けた開口部装置を提供する。【解決手段】枠体内に引き違い自在に障子を備え、この障子の戸先框７に、障子の開放力をアシストするアシスト把手１０及び戸先錠２０を該戸先框７の見込み方向に重ねて配置した。【選択図】　　　図３
2004052218.tif 000002
【特許請求の範囲】
【請求項１】
枠体内に開閉自在に障子を備え、この障子の戸先框に、障子の開放力をアシストするアシスト把手及び戸先錠を該戸先框の見込み方向に重ねて配置したことを特徴とする開口部装置。
【請求項２】
枠体内に開閉自在に障子を備え、この障子の戸先框に、障子の開放力をアシストするアシスト把手及び戸先錠を該戸先框の見込み方向に重ねて配置し、前記アシスト把手による障子開き動作と前記戸先錠の解錠動作とを連動させたことを特徴とする開口部装置。
【請求項３】
枠体内に開閉自在に障子を備え、この障子の戸先框に、障子の開放力をアシストするアシスト把手及び戸先錠を、該アシスト把手を室内側にして該戸先框の見込み方向に重ねて配置し、戸先錠の操作部を室内側から操作可能に戸先錠の側面部に設けたことを特徴とする開口部装置。
【請求項４】
枠体内に開閉自在に障子を備え、この障子の戸先框にスペーサを設け、このスペーサとこのスペーサに固定されるべき戸先錠、障子の開放力をアシストするアシスト把手、又は大型把手のそれぞれに固定具が挿入される同一ピッチの通し孔を設けたことを特徴とする開口部装置。
【発明の詳細な説明】
【０００１】
【発明の属する技術分野】
本発明は、枠体内に設けた障子の開放力をアシストするアシスト把手を備えた引き違いサッシ、片引きサッシ、引き戸等の開口部装置に関する。
【０００２】
【従来の技術】
一般に、枠体内に引き違い自在に障子を備えた引き違いサッシが知られている。この種のものでは、障子の大きさが大きくなり、その重量が重くなった場合、障子の開閉に大きな開放力が必要になる。
【０００３】
この開放力をアシストするため、障子の戸先框にアシスト把手（例えば、特開２００１−２７１５２０号公報）を備えたものが提案される一方、従来の引き違いサッシでは、召内合せ框に錠を備え、さらに各障子の戸先框にも戸先錠を備えたものが提案されている。
【０００４】
【発明が解決しようとする課題】
しかし、従来の構成では、未だ、障子の戸先框にアシスト把手と戸先錠を備えたものは提案されていない。障子の戸先框にこれらを設けるにしても、それらの操作性を向上し、かつ意匠性を高めなくてはならない。
【０００５】
そこで、本発明の目的は、上述した従来の技術が有する課題を解消し、操作性を向上し、かつ意匠性を高めた、アシスト把手及び戸先錠を障子の戸先框に設けた開口部装置を提供することにある。
【０００６】
【課題を解決するための手段】
請求項１記載の発明は、枠体内に開閉自在に障子を備え、この障子の戸先框に、障子の開放力をアシストするアシスト把手及び戸先錠を該戸先框の見込み方向に重ねて配置したことを特徴とする。
【０００７】
請求項２記載の発明は、枠体内に開閉自在に障子を備え、この障子の戸先框に、障子の開放力をアシストするアシスト把手及び戸先錠を該戸先框の見込み方向に重ねて配置し、前記アシスト把手による障子開き動作と前記戸先錠の解錠動作とを連動させたことを特徴とする。
【０００８】
請求項３記載の発明は、枠体内に開閉自在に障子を備え、この障子の戸先框に、障子の開放力をアシストするアシスト把手及び戸先錠を、該アシスト把手を室内側にして該戸先框の見込み方向に重ねて配置し、戸先錠の操作部を室内側から操作可能に戸先錠の側面部に設けたことを特徴とする。
【０００９】
請求項４記載の発明は、枠体内に開閉自在に障子を備え、この障子の戸先框にスペーサを設け、このスペーサとこのスペーサに固定されるべき戸先錠、障子の開放力をアシストするアシスト把手、又は大型把手のそれぞれに固定具が挿入される同一ピッチの通し孔を設けたことを特徴とする。
【００１０】
【発明の実施の形態】
以下、本発明の一実施形態を添付図面に従って説明する。
【００１１】
図１は、引き違いサッシ（開口部装置）を示す。この引き違いサッシは、枠体１を備え、この枠体１は、上枠１ａと、下枠１ｂと、左右に配置された縦枠１ｃ，１ｄとを四方枠組みして構成されている。この枠体１内には、外障子４と内障子５とが開閉自在に設けられている。
【００１２】
これら障子４，５の戸先框６，７には、ハンドルユニット２，３が取り付けられ、召内合せ框８には錠９が設けられている。
【００１３】
本実施形態では、ハンドルユニット２，３に特徴があり、このハンドルユニット２，３は、図２Ａ及び図２Ｂに示すように、それぞれの障子４，５の開放力をアシストするアシスト把手１０と、戸先錠２０と、スペーサ３０とを備えて構成されている。図３は、一方のハンドルユニット３を示す。このハンドルユニット３の取り付け方を説明すると、まず、戸先框７にスペーサ３０をねじ３１で固定し、このスペーサ３０の上に戸先錠２０とアシスト把手１０とを戸先框７の見込み方向に重ねてねじ１１で固定する。
【００１４】
すなわち、アシスト把手１０が最上位に位置して、その下に、戸先錠２０が位置するように重ねて配置されている。
【００１５】
上記の構成では、ねじ１１が、まず、アシスト把手１０のボデーの通し孔１０Ｃを貫通し、戸先錠２０のボデーの凹部２０Ｃに取り付けられた、上記ねじ３１のカバー２５の通し孔２５Ａを貫通し、戸先錠２０のボデーを貫通して、スペーサ３０の孔３０Ｂに螺入され、最後に、このねじ１１のカバー２７が、アシスト把手１０のボデーに取り付けられている。
【００１６】
上記アシスト把手１０は、図２Ａに示すように、その内部に蹴り出し部材１０Ａを備え、アシスト把手１０のハンドル１０Ｂが、矢印Ａの方向に手動によって回動された場合、この蹴り出し部材１０Ａが位置Ｃから位置Ｄへ突出して、この過程で、蹴り出し部材１０Ａによって、上記の縦枠１ｄ（図１）が蹴り出され、障子５の開放力がアシストされる。
【００１７】
図７及び図８は、ハンドルユニット２，３の内部構造を示す。図７に示すように、アシスト把手１０のハンドル１０Ｂの基部が、連結ピン５１を介して、アシストレバー５２の一端５２Ａに連結され、このアシストレバー５２の他端５２Ｂは係合ピン５３に固定されている。
【００１８】
この係合ピン５３は、図８に示すように、略く字形に形成された連動レバー５４の一端５４Ａの切り欠き５５に係合している。この連動レバー５４は、軸５８の回りを回動し、この連動レバー５４の他端５４Ｂには長孔５６があけられている。この長孔５７内にはピン５７が位置し、このピン５７は戸先錠２０の鎌５９の長溝６１内に収容されている。
【００１９】
この構成では、アシスト把手１０のハンドル１０Ｂが回動された場合、ハンドル１０Ｂの基部に連結ピン５１を介して連結されたアシストレバー５２が、図８に破線で示すように一体的に回動する。アシストレバー５２が回動されると、その他端５２Ｂに固定された係合ピン５３が、連動レバー５４の一端５４Ａを押し出し、連動レバー５４が軸５８の回りを時計方向に回動する。すると、戸先錠２０の鎌５９の長溝６１内に収容されたピン５７の作用によって、鎌５９が回動中心（図示せず）を中心に破線で示す方向に移動し、鎌５９による戸先錠２０のロックが外れる。それに伴って、蹴り出し部材１０Ａが破線の位置に突出し、縦枠１ｄ（図１）が蹴り出され、障子５の開放力がアシストされる。これに対し、アシスト把手１０のハンドル１０Ｂが元の位置に戻された場合、アシストレバー５２及び連動レバー５４は、共に、図８の実線の位置に戻される。この場合、ピン５７は鎌５９の長溝６１内を移動するだけであるから、この鎌５９に回動力は付与されず、鎌５９が実線の位置に突出することはない。
【００２０】
図４は、スペーサ３０、戸先錠２０、及びアシスト把手１０の取り付け部の断面図である。このスペーサ３０は突部３０Ａを有し、この突部３０Ａは、戸先框７に設けた化粧部材７Ａの凹部７Ｂに嵌合する。
【００２１】
このスペーサ３０は、この突部３０Ａを凹部７Ｂに嵌合させた状態で、上記ねじ３１を介して戸先框７に固定されている。
【００２２】
このスペーサ３０は、種々の形状のものを準備しておき、障子の室内側の面形状が異なる場合、それに対応したスペーサ３０を使用する。これによれば、ほかの戸先錠２０、及びアシスト把手１０等の共通化が図られる。このスペーサ３０の高さＨは、所定の高さに設定され、このスペーサ３０に、上記ねじ１１を介して戸先錠２０を取り付けた場合、この戸先錠２０のロック爪２０Ａが、ロック受け部材２１の受け孔２１Ａに係合するように、このロック受け部材２１が上記の縦枠１ｄにねじ２２を介して取り付けられている。
【００２３】
なお、このロック受け部材２１は、上述したアシスト把手１０の蹴り出し部材１０Ａの受け部材を兼ねて構成されている。
【００２４】
戸先錠２０のロック爪２０Ａは、図２Ａに示す戸先錠２０の操作部２０Ｂを、矢印Ｂの方向に移動させると、ロック受け部材２１側へ突出し、操作部２０Ｂを図示の位置に戻した場合、戸先錠２０のロック爪２０Ａは、戸先錠２０の内側に格納されて、ロックが解除される。
【００２５】
この戸先錠２０の操作部２０Ｂは、図２Ａに示すように、アシスト把手１０のボデーの側方に張り出すように位置し、室内側からのロック操作を可能に、戸先錠２０の側面部に設けられている。
【００２６】
本実施形態では、スペーサ３０と、戸先錠２０と、アシスト把手１０とを上下に積み重ねる構造のため、いずれかの部品を取り除いたり、別の部品と組み合わせたりすることが容易である。
【００２７】
例えば、図５は、スペーサ３０と、戸先錠２０とを上下に積み重ねた構造を示し、図６は、スペーサ３０と、戸先錠２０とを上下に積み重ね、その上に、アシスト把手１０の代わりに、大型把手４０を積み重ねた構造を示す。図５では、カバー２５に通し孔２５Ａがあいていない。
【００２８】
上記の構成では、スペーサ３０の通し孔３０Ｂ、戸先錠２０のボデーの孔、アシスト把手１０の通し孔１０Ｃ、大型把手４０の通し孔（図示せず）の各孔間ピッチがすべて同一に形成されている。
【００２９】
本実施形態では、それぞれの孔間ピッチがすべて同一ピッチに形成されているため、スペーサ３０と、戸先錠２０と、アシスト把手１０とを上下に積み重ねたり、いずれかの部品を取り除いて積み重ねたり、或いは別の部品と組み合わせて積み重ねたり、容易に行うことができる。
【００３０】
上記実施形態では、アシスト把手１０のハンドル１０Ｂの操作と、戸先錠２０の操作部２０Ｂの操作とが連動していない。別の実施形態として、これらを連動させることが可能である。例えば、障子５が閉じた状態で、戸先錠２０のロック爪２０Ａが、ロック受け部材２１側へ突出して、その受け孔２１Ａに係合しており、アシスト把手１０のハンドル１０Ｂが操作された場合、上記の実施形態と同様に、蹴り出し部材１０Ａが蹴り出され、障子５の開放力がアシストされると共に、戸先錠２０のロック爪２０Ａが、ロック受け部材２１から後退し、ロック解除されるように構成してもよい。
【００３１】
以上、一実施形態に基づいて本発明を説明したが、本発明は、これに限定されるものでないことは明らかである。例えば、引き違いサッシだけでなく、片引きサッシ、玄関引き戸、勝手口引き戸、浴室引き戸等の横方向に摺動する障子を備えた開口部装置にも適用可能である。また、戸先錠及びアシスト把手は、既存の開口部装置に後付けするタイプだけではなく、工場で予め取り付けられる先付けタイプにも適用可能である。
【００３２】
【発明の効果】
請求項１記載の発明では、戸先框に設けたアシスト把手と戸先錠の操作性を向上し、かつ意匠性を高めることができる。
【００３３】
請求項２記載の発明では、請求項１記載のものに加えて、更に操作性を向上させることができる。
【００３４】
請求項３記載の発明では、請求項１記載のものに加えて、更に操作性を向上させることができる。
【００３５】
請求項４記載の発明では、スペーサ、戸先錠、アシスト把手、又は大型把手等の各部品における、任意の組み合わせによる積み重ね構造を容易に実現することができる。
【図面の簡単な説明】
【図１】本発明による引き違いサッシの一実施形態を示す平面図である。
【図２】Ａはアシスト把手の正面図、Ｂは同側面図である。
【図３】スペーサ、戸先錠、アシスト把手の分解斜視図である。
【図４】スペーサ、戸先錠、アシスト把手の断面図である。
【図５】スペーサ、戸先錠の分解斜視図である。
【図６】スペーサ、戸先錠、大型把手の分解斜視図である。
【図７】戸先錠、アシスト把手を示す縦断面図である。
【図８】戸先錠、アシスト把手の内部構造を示す平面図である。
【符号の説明】
１　枠体
２，３　ハンドルユニット
４，５　障子
６，７　戸先框
１０　アシスト把手
１０Ａ　蹴り出し部材
２０　戸先錠
３０　スペーサ
【図１】
2004052218.tif 000003
【図２】
2004052218.tif 000004
【図３】
2004052218.tif 000005
【図４】
2004052218.tif 000006
【図５】
2004052218.tif 000007
【図６】
2004052218.tif 000008
【図７】
2004052218.tif 000009
【図８】
2004052218.tif 000010